(57)【特許請求の範囲】
【請求項１】
通電電流に応動して湾曲する熱動引き外し装置と、上記通電電流が所定値を超過したときに生じる電磁力により作動する電磁引き外し装置と、上記熱動引き外し装置および上記電磁引き外し装置の動作により駆動される丸棒で形成されたトリップバーと、このトリップバーの回動により作動する開閉機構部と、外部からの手動操作による押圧時に上記トリップバーと当接して該トリップバーを回動せしめる傾斜面を有するトリップボタンとを備えた回路遮断器において、
上記トリップボタンに半円柱状部を形成し、
この半円柱状部に上記トリップボタンを所定位置に復帰させる復帰ばねを挿着する凹部を設けることで、上記復帰ばねの付勢力を得るようにしたとともに、
上記凹部に上記復帰ばねを挿着させた際の脱落防止となる突起、
および上記半円柱状部に上記付勢力を抑止するストッパをそれぞれ具備したことを特徴とする回路遮断器。
【発明の詳細な説明】
【０００１】
【発明の属する技術分野】
この発明は、回路遮断器に関し、特に、手動で引き外し動作させることのできるトリップボタンを備えた回路遮断器の引き外し装置に関する。
【０００２】
【従来の技術】
図４は、例えば特開平８−９６６８９号公報に示された従来の回路遮断器を一部破断して内部を示す側断面図である。図において、１はベース、２はカバーである。３は過電流引き外し装置であり、中継端子４を介してベース１にねじ５により装着されている。過電流引き外し装置３は、ねじ１４により中継端子４と電気的に接合されたヒータ６と、このヒータ６にリベット７で固着されたヨーク８およびバイメタル９からなる熱動引き外し装置３１と、ヨーク８に対向して配置されヒータ６に流れる電流により生じる電磁力によりヨーク８に吸引されるアマチュア１０およびアマチュア１０を復帰させるばね１１からなる電磁引き外し装置３２とにより構成されている。
【０００３】
１２は開閉機構部であり、掛け金（図示せず）に回動自在に保持されたトリップバー１２ａと、ラッチ１２ｃと、レバー１２ｄ等で構成されている。また、このような回路遮断器では、開閉機構部１２が正常に動作するか否かを試験する目的で、実際に過電流を流さずに過電流引き外し装置３のセット状態を解除する動作を行わせることができるように、カバー２の外部から手動で引き外し操作が可能な手動引き外し手段であるトリップボタン（図示せず）をカバー２の上部近傍に設けてある。
【０００４】
このような従来の回路遮断器においては、過電流引き外し装置３には通常は定格電流値以下の電流が流れている。ここで、過電流引き外し装置３に流れる電流が何らかの原因で定格電流以上に上昇した場合、ヒータ６から発生するジュール熱によってバイメタル９が熱せられ、その開放端部９ａが矢印Ａ方向に湾曲しトリップバー１２ａを押圧する。トリップバー１２ａが所定量以上押圧されるとトリップバー１２ａが回動して開閉機構部１２が作動し、可動接点１３ａが固定接点１３ｂから開離して回路が遮断される。
【０００５】
また、過電流引き外し装置３に流れる電流が定格電流以上で所定値以上になった場合、ヒータ６に流れる電流により生じる磁界となるヨーク８およびアマチュア１０を通過する磁束により、アマチュア１０をヨーク８方向に吸引する吸引力が発生する。この吸引力は、アマチュア１０を復帰させるばね１１の付勢力より勝り、アマチュア１０を吸引して先端部１０ａでトリップバー１２ａを押し、トリップバー１２ａが時計方向へ回動して開閉機構部１２が作動し、可動接点１３ａを固定接点１３ｂから開離させ回路が遮断される。
【０００６】
また、図示しないが手動でトリップ動作させることができるトリップボタン（図示せず）を復帰ばね（図示せず）の付勢力に抗して押下げることにより、トリップバー１２ａを押し、トリップバー１２ａが回動して開閉機構部１２を作動させ、可動接点１３ａを固定接点１３ｂから開離させることにより、開閉機構部１２が正常に動作するか否かを実際に電流を流さずに試験することができる。
【０００７】
【発明が解決しようとする課題】
上記のような従来の回路遮断器では、熱動引き外し装置３１、電磁引き外し装置３２、トリップボタンによる手動引き外し手段（図示せず）及び付属装置（図示せず）による引き外し等の各種引き外し手段に対応するために、複雑な形状のトリップバーを形成する必要があり、特に、押す方向が異なるトリップボタンを受けるトリップバー１２ａの当接面は、その位置が限定され、２極品や３極品等の異なる極数を持つ多極の回路遮断器では、当接面の位置や形状を極数が異なる毎に変更しなければならないという問題点があった。
【０００８】
この発明は、かかる問題点を解決するためになされたもので、２極品や３極品等、異なる極数を持つ多極の回路遮断器においても、トリップバーとトリップボタンの関係位置を容易に設定できると共に、トリップバーおよびトリップボタン等の構成が簡単で安価な回路遮断器を得ることを目的としている。
【０００９】
【課題を解決するための手段】
この発明に係る回路遮断器においては、通電電流に応動して湾曲する熱動引き外し装置と、通電電流が所定値を超過したときに生じる電磁力により作動する電磁引き外し装置と、熱動引き外し装置および電磁引き外し装置の動作により駆動される丸棒で形成されたトリップバーと、このトリップバーの回動により作動する開閉機構部と、外部からの手動操作による押圧時にトリップバーと当接して該トリップバーを回動せしめる傾斜面を有するトリップボタンとを備えた回路遮断器において、トリップボタンに半円柱状部を形成し、この半円柱状部に該トリップボタンを所定位置に復帰させる復帰ばねを挿着する凹部を設けることで、復帰ばねの付勢力を得るようにしたとともに、凹部に復帰ばねを挿着させた際の脱落防止となる突起、および半円柱状部に付勢力を抑止するストッパをそれぞれ具備したものである。
【００１２】
【発明の実施の形態】
実施の形態１．
図１は、この発明の一実施の形態を示す回路遮断器を一部破断して内部を示す正面図である。図２は、トリップボタンとトリップバーの関係を示す要部拡大断面図であり、（Ａ）は正面図、（Ｂ）は左側面図である。図３は、トリップボタンを示す拡大斜視図である。図において、１〜１４は上記従来装置と同様のものであり、その説明を省略する。
【００１３】
２０はトリップバーであり、図２に示すように、合成樹脂またはセラミックス等の絶縁材料の丸棒で形成されている。２１は掛け金であり、図２に示すようにトリップバー２０に嵌挿され、トリップバー２０の軸方向の所定の位置に固着されている。
【００１４】
２２はトリップボタンであり、図３に示すように、円柱状の頭部２２ａと、半円柱状の胴部２２ｂと、この胴部２２ｂに形成され後述する復帰ばね２３を挿着する凹部２２ｃと、復帰ばね２３の両端を保持する突起２２ｄ，２２ｅと、胴部２２ｂから突出した抜け止め用のストッパ２２ｆと、胴部２２ｂの先端にトリップボタン２２を押し下げ時にトリップバー２０の円周面と当接して押圧する傾斜面２２ｇが形成され、図１および図２に示すように、トリップバー２０の上方に配設されるように構成されている。
【００１５】
２３はトリップボタン２２を押し下げる外力がなくなった時に、トリップボタン２２を所定の位置に復帰させる復帰ばねである。
なお、トリップボタン２２と、復帰ばね２３と、トリップバー２０とにより手動引き外し手段が形成されている。
【００１６】
このように構成された回路遮断器においては、開閉機構部１２が正常にトリップ動作するか否かを試験するには、図１において、手動でトリップボタン２２を矢印Ｂ方向へ押し下げると、トリップボタン２２の傾斜面２２ｇがトリップバー２０の円周面に当接し、トリップバー２０を軸２４を中心に時計方向へ回動させる。このトリップバー２０の回動により、掛け金２１とラッチ１２ｃおよびレバー１２ｄとの係合が外れ、開閉機構部１２が作動して可動接点１３ａを固定接点１３ｂから開離させることができる。
【００１７】
このような実施の形態１の回路遮断器の構成によれば、トリップバー２０を丸棒で形成したので、トリップボタン２２をトリップバー２０の軸方向の任意の位置に当接するように配設でき、極数の異なる回路遮断器へも容易にトリップボタン２２を取付けることが可能になる。
【００１８】
また、トリップボタン２２の胴部２２ｂを半円柱状に形成し、半円柱状部に復帰ばね２３を挿着する凹部２２ｃを設け、この凹部２２ｃの両端に復帰ばね２３の両端を保持する突起２２ｄ，２２ｅを設けることにより、トリップボタン２２をカバー２に組込む前に、トリップボタン２２と復帰ばね２３を容易に組合せることができる。そして、これをカバー２に組み込むことにより、復帰ばね２３にカバー２上面方向に付勢する力が生じる。また、ストッパ２２ｆは、トリップボタン２２を復帰ばね２３の付勢力に抗して押下げたときの抜け止めとなる。
【００１９】
【発明の効果】
この発明は、以上説明したように構成されているので、以下に記載されるような効果を奏する。
【００２０】
手動引き外し手段を、丸棒で形成されたトリップバーと、このトリップバーに当接してトリップバーを回動させるトリップボタンで構成することにより、トリップボタンの配設位置を、トリップバーの軸方向に対して任意の位置に当接するように設定できるので、極数の異なる回路遮断器に容易にトリップボタンを取付けることが可能になる。
【００２１】
また、トリップボタンに、このトリップボタンを押圧時に、トリップバーと当接してこのトリップバーを回動させる傾斜面を設けたので、トリップバーを直接駆動でき、トリップバーの形状が簡単になる。
【００２２】
さらにまた、トリップボタンに半円柱形状を形成し、この半円柱状部にトリップボタンを所定の位置に復帰させる復帰ばねを挿着する凹部と突起を設けることにより、トリップボタンをカバーに組込む前に、トリップボタンと復帰ばねを容易に組合せることができ、カバーに組込む前に復帰ばね外れが発生するのを防止できる。
【図面の簡単な説明】
【図１】  この発明の実施の形態１を示す回路遮断器を一部破断して内部を示す正面図である。
【図２】  この発明の実施の形態１のトリップボタンとトリップバーの関係を示す要部拡大断面図である。
【図３】  この発明の実施の形態１のトリップボタンを示す拡大斜視図である。
【図４】  従来の回路遮断器を一部破断して内部を示す正面図である。
【符号の説明】
１２  開閉機構部、２０  トリップバー、２２  トリップボタン、
２２ｂ  胴部（半円柱状部）、２２ｃ  凹部、２２ｄ，２２ｅ  突起、
２２ｇ  傾斜面、２３  復帰ばね、３１  熱動引き外し装置、
３２  電磁引き外し装置。
【図１】
0004348500.tif 000002
【図２】
0004348500.tif 000003
【図３】
0004348500.tif 000004
【図４】
0004348500.tif 000005